(57)【特許請求の範囲】
【請求項１】
ターゲット装置とディスプレイとの間の相対位置を判定するために適用される相対位置判定方法であって、
（ａ）前記ターゲット装置を介して、比較対象の画像を取得するステップと、
（ｂ）比較対象の前記画像の画像コンテンツを基準画像の画像コンテンツと比較して、画像関連付け情報を生成するステップと、
（ｃ）前記画像関連付け情報に従って前記相対位置を判定するステップと、
を含み、
前記基準画像は、前記ディスプレイのフレームより外側の予め定められた範囲にある物の画像を含み、前記ディスプレイ上に表示される画像を含まない、相対位置判定方法。
【請求項２】
前記ディスプレイは、前記ターゲット装置を位置決めするための固定基準点を含まない、請求項１記載の相対位置判定方法。
【請求項３】
前記ステップ（ｂ）は、比較対象の前記画像内の少なくとも１つの特徴と、前記基準画像内の少なくとも１つの特徴と、の間の関連性に従って前記画像関連付け情報を生成するステップを含む、請求項１記載の相対位置判定方法。
【請求項４】
特定の画像を表示するよう前記ディスプレイを制御するステップと、
前記特定の画像に基づいて、前記ディスプレイの表示範囲を判定するステップと、
前記表示範囲に従って、前記ディスプレイ上に表示される前記画像を含まないよう前記基準画像を制御するステップと、
をさらに含む、請求項１記載の相対位置判定方法。
【請求項５】
ディスプレイに適用されるディスプレイ制御方法であって、
（ａ）ターゲット装置を介して、比較対象の画像を取得するステップと、
（ｂ）比較対象の前記画像の画像コンテンツを基準画像の画像コンテンツと比較して、画像関連付け情報を生成するステップと、
（ｃ）前記画像関連付け情報に従って、前記ターゲット装置と前記ディスプレイとの間の相対位置を判定するステップと、
（ｄ）前記相対位置に従って画像を表示するよう前記ディスプレイを制御するステップと、
を含み、
前記基準画像は、前記ディスプレイのフレームより外側の予め定められた範囲にある物の画像を含み、前記ディスプレイ上に表示される画像を含まない、ディスプレイ制御方法。
【請求項６】
前記ディスプレイは、前記ターゲット装置を位置決めするための固定基準点を含まない、請求項５記載のディスプレイ制御方法。
【請求項７】
前記ステップ（ｂ）は、比較対象の前記画像内の少なくとも１つの特徴と、前記基準画像内の少なくとも１つの特徴と、の間の関連性に従って前記画像関連付け情報を生成するステップを含む、請求項５記載のディスプレイ制御方法。
【請求項８】
特定の画像を表示するよう前記ディスプレイを制御するステップと、
前記特定の画像に基づいて、前記ディスプレイの表示範囲を判定するステップと、
前記表示範囲に従って、前記ディスプレイ上に表示される前記画像を含まないよう前記基準画像を制御するステップと、
をさらに含む、請求項５記載のディスプレイ制御方法。
【請求項９】
複数の前記相対位置に従って、前記ターゲット装置の水平方向の移動距離又は水平方向の移動速度を判定するステップと、
前記水平方向の移動距離又は前記水平方向の移動速度に従って画像を表示するよう前記ディスプレイを制御するステップと、
をさらに含む、請求項５記載のディスプレイ制御方法。
【請求項１０】
比較対象の画像を取得するよう構成されたターゲット装置と、
比較対象の前記画像の画像コンテンツを基準画像の画像コンテンツと比較して、画像関連付け情報を生成するよう構成され、前記画像関連付け情報に従って、前記ターゲット装置とディスプレイとの間の相対位置を判定するよう構成された制御ユニットと、
を備え、
前記基準画像は、前記ディスプレイのフレームより外側の予め定められた範囲にある物の画像を含み、前記ディスプレイ上に表示される画像を含まない、相対位置判定システム。
【請求項１１】
前記ディスプレイは、前記ターゲット装置を位置決めするための固定基準点を含まない、請求項１０記載の相対位置判定システム。
【請求項１２】
前記制御ユニットは、比較対象の前記画像内の少なくとも１つの特徴と、前記基準画像内の少なくとも１つの特徴と、の間の関連性に従って前記画像関連付け情報を生成する、請求項１０記載の相対位置判定システム。
【請求項１３】
前記制御ユニットは、前記ディスプレイ上に表示される特定の画像に基づいて、前記ディスプレイの表示範囲を判定し、前記表示範囲に従って、前記ディスプレイ上に表示される前記画像を含まないよう前記基準画像を制御する、請求項１０記載の相対位置判定システム。
【請求項１４】
比較対象の画像を取得するよう構成されたターゲット装置と、
比較対象の前記画像の画像コンテンツを基準画像の画像コンテンツと比較して、画像関連付け情報を生成するよう構成され、前記画像関連付け情報に従って、前記ターゲット装置とディスプレイとの間の相対位置を判定するよう構成された制御ユニットと、
を備え、
前記基準画像は、前記ディスプレイのフレームより外側の予め定められた範囲にある物の画像を含み、前記ディスプレイ上に表示される画像を含まず、
前記制御ユニットは、さらに、前記相対位置に従って画像を表示するよう前記ディスプレイを制御する、ディスプレイ制御システム。
【請求項１５】
前記ディスプレイは、前記ターゲット装置を位置決めするための固定基準点を含まない、請求項１４記載のディスプレイ制御システム。
【請求項１６】
前記制御ユニットは、比較対象の前記画像内の少なくとも１つの特徴と、前記基準画像内の少なくとも１つの特徴と、の間の関連性に従って前記画像関連付け情報を生成する、請求項１４記載のディスプレイ制御システム。
【請求項１７】
前記制御ユニットは、前記ディスプレイ上に表示される特定の画像に基づいて、前記ディスプレイの表示範囲を判定し、前記表示範囲に従って、前記ディスプレイ上に表示される前記画像を含まないよう前記基準画像を制御する、請求項１４記載のディスプレイ制御システム。
【請求項１８】
前記制御ユニットは、複数の前記相対位置に従って、前記ターゲット装置の水平方向の移動距離又は水平方向の移動速度を判定し、前記水平方向の移動距離又は前記水平方向の移動速度に従って画像を表示するよう前記ディスプレイを制御する、請求項１４記載のディスプレイ制御システム。
【発明の詳細な説明】
【技術分野】
【０００１】
本発明は、相対位置判定方法、ディスプレイ制御方法、及びこれらの方法を適用するシステムに関し、詳細には、相対位置判定方法、固定基準点を含まないディスプレイに適用されるディスプレイ制御方法、及びこれらの方法を適用するシステムに関する。
【背景技術】
【０００２】
図１は、従来技術の方向指示装置を示す概略図である。図１に示されるように、方向指示装置１００は、リモートコントローラ１０１及びホスト１０３を備える。ユーザは、リモートコントローラ１０１を介して、ディスプレイ１０５上のカーソルＣｒを制御することができる。リモートコントローラ１０１とディスプレイ１０５との間の相対位置を正しく判定するために、ディスプレイ１０５は、リモートコントローラ１０１を位置決めするために利用される、ディスプレイ１０５上の固定基準点を常に含む。例えば、固定基準点は、ディスプレイ１０５上に設けられる光源Ｌ１、Ｌ２であり得る。
【０００３】
リモートコントローラ１０１は、リモートコントローラ１０１内に設けられるカメラ、計算ユニット、及び通信インタフェースにそれぞれ接続される制御回路を常に備える。通信インタフェースは、ホスト１０３に接続され、レンズが、カメラの前に設けられる。ユーザが、ホスト１０３により実行されるプログラムを制御するために、方向指示装置１００を利用する場合、ディスプレイ１０５を撮影するために、カメラが利用され得る。カメラにより撮影される画像は、光源Ｌ１、Ｌ２から放出された光のみを含む。なぜならば、カメラの前に設けられたレンズが、光源Ｌ１、Ｌ２から放出された光以外の光を除去し得るからである。また、カメラの照準点の座標値が、計算ユニットにより計算され、次いで、ホスト１０３に送信され得る。このようにすることにより、ホスト１０３は、そのような座標値を介して、ディスプレイ１０５上のカーソルＣｒを制御することができる。
【０００４】
しかしながら、少なくとも１つの固定光源が、ディスプレイ１０５上に設けられる場合、ディスプレイ１０５の外観に影響を及ぼし得る。いくつかの方向指示装置１００は、ディスプレイ上に表示された固定オブジェクトＩ１、Ｉ２を介して、リモートコントローラ１０１とディスプレイ１０５との間の相対位置を判定する。しかしながら、そのような固定オブジェクトＩ１、Ｉ２は、ディスプレイ１０５上に表示されるコンテンツを遮ることがある。さらに、ディスプレイ１０５上に表示されるコンテンツが、固定オブジェクトＩ１、Ｉ２に類似する場合、リモートコントローラ１０１とディスプレイ１０５との間の相対位置が、間違って判定されることもある。
【発明の概要】
【発明が解決しようとする課題】
【０００５】
したがって、本発明の１つの目的は、相対位置判定方法、及びそのような方法を適用するシステムを提供することである。
【０００６】
本発明の別の目的は、ディスプレイ制御方法、及びそのような方法を適用するシステムを提供することである。
【課題を解決するための手段】
【０００７】
本発明の一実施形態は、ターゲット装置とディスプレイとの間の相対位置を判定するために適用される相対位置判定方法を開示する。当該方法は、（ａ）前記ターゲット装置を介して、比較対象の画像を取得するステップと、（ｂ）比較対象の前記画像の画像コンテンツを基準画像の画像コンテンツと比較して、画像関連付け情報を生成するステップと、（ｃ）前記画像関連付け情報に従って、前記相対位置を判定するステップと、を含む。
【０００８】
本発明の別の実施形態は、ディスプレイに適用されるディスプレイ制御方法を開示する。当該方法は、（ａ）ターゲット装置を介して、比較対象の画像を取得するステップと、（ｂ）比較対象の前記画像の画像コンテンツを基準画像の画像コンテンツと比較して、画像関連付け情報を生成するステップと、（ｃ）前記画像関連付け情報に従って、前記ターゲット装置と前記ディスプレイとの間の相対位置を判定するステップと、（ｄ）前記相対位置に従って画像を表示するよう前記ディスプレイを制御するステップと、を含む。
【０００９】
本発明は、相対位置判定システム及びディスプレイ制御システムをさらに開示する。これらのシステムはそれぞれ、上述した相対位置判定方法及びディスプレイ制御方法を適用する。これらのシステムの詳細なオペレーションは、上述した方法に基づいて得ることができるので、その説明は、簡潔さのために、ここでは省略される。
【００１０】
上述した実施形態に鑑みて、ディスプレイが固定基準点を含まない場合であっても、ターゲット装置とディスプレイとの間の相対位置を判定することができ、それに従ってディスプレイを制御することができる。さらに、ターゲット装置の水平方向の移動の検出範囲を拡張できるので、ディスプレイ制御システムの用途が拡張される。
【００１１】
本発明のこれらの目的及び他の目的は、様々な図に示される好ましい実施形態の以下の詳細な説明を読んだ後、当業者には明らかになることを確信している。
【図面の簡単な説明】
【００１２】
【図１】従来技術の方向指示装置を示す概略図。
【図２】本発明の一実施形態に従ったディスプレイ制御方法を示す概略図。
【図３】本発明の実施形態に従った、基準画像と比較対象の画像との間の関連性を示す概略図。
【図４】本発明の実施形態に従った、基準画像と比較対象の画像との間の関連性を示す概略図。
【図５】本発明の別の実施形態に従ったディスプレイ制御方法を示す概略図。
【図６】本発明の実施形態に従った基準画像を示す概略図。
【図７】本発明の実施形態に従った基準画像を示す概略図。
【発明を実施するための形態】
【００１３】
本発明のコンセプトを説明するために、様々な実施形態が以下で提供される。リモートコントローラ及びホストを備えるディスプレイ制御システムは、説明のための例として提供されることに留意されたい。そのようなシステムは、上述した方向指示装置として適用することができるが、本発明のコンセプトは、そのようなハードウェアに適用されることに限定されるものではない。本発明のコンセプトを適用できる任意のハードウェアが、本発明の範囲に含まれるべきである。加えて、説明の都合上、いくつかの従来デバイスは、図示又は説明されない。例えば、カメラ２０１は、画像をキャプチャするためにそのようなシステムに設けられるカメラに適用することができる。そのようなデバイスは、以下の説明において示されない。
【００１４】
図２は、本発明の一実施形態に従ったディスプレイ制御方法を示す概略図である。図２に示されるように、ディスプレイ制御システム２００は、リモートコントローラ２０１及びホスト２０３を備える。一実施形態において、ホスト２０３は、以下のオペレーションを実行するための制御ユニット２０７を備える。しかしながら、制御ユニット２０７は、リモートコントローラ２０１内に設けられてもよいことに留意されたい。本発明の一実施形態において、リモートコントローラ２０１は、比較対象の画像をキャプチャし、制御ユニット２０７は、比較対象の画像の画像コンテンツを基準画像の画像コンテンツと比較して、画像関連付け情報を生成する。制御ユニット２０７は、画像関連付け情報に従って、リモートコントローラ２０１とディスプレイ２０５との相対位置を判定する。その後、ディスプレイ２０５は、相対位置に従って画像を表示するよう、例えば、相対位置に従ってカーソルを動かすよう制御される。一実施形態において、ディスプレイ２０５は、固定基準点（例えば、上述した固定光源又はオブジェクト）を含まない。そのような場合、従来の位置判定方法は、リモートコントローラ２０１とディスプレイ２０５との間の関連性を判定するために適用することができない。基準画像は、ディスプレイ２０５上に表示される画像であってもよいし、ディスプレイ２０５上に表示される画像に加えた、ディスプレイ２０５の予め定められた範囲内の画像であってもよいし、ディスプレイ２０５上に表示される画像を含まない、ディスプレイ２０５の予め定められた範囲内の画像であってもよい。基準画像の詳細については、後で説明する。
【００１５】
図３及び図４は、本発明の異なる実施形態に従った、基準画像と比較対象の画像との間の関連性を示す概略図である。図３及び図４の実施形態において、基準画像は、ディスプレイ２０５上に表示される画像である。図３の実施形態において、基準画像は、ディスプレイ２０５上に表示されるリアルタイム画像である（この例では、ｔ＝ｎにおける画像）。そのような場合、リモートコントローラ２０１は、ｔ＝ｎにおいて、比較対象の画像として、ディスプレイ２０５により表示されている画像をキャプチャする。そのような場合、リアルタイム画像を生成するためのリアルタイム画像生成装置が提供される。リアルタイム画像生成装置は、基準画像としてリアルタイム画像を制御ユニット２０７に提供すると同時に、リアルタイム画像生成装置は、リアルタイム画像をディスプレイ２０５に生成する。上述したように、制御ユニット２０７は、比較対象の画像の画像コンテンツを基準画像の画像コンテンツと比較して、画像関連付け情報を生成するよう構成され、画像関連付け情報に従って、リモートコントローラ２０１とディスプレイ２０５との相対位置を判定するよう構成される。一実施形態において、リアルタイム画像生成装置は、図２におけるホスト２０３であるが、リアルタイム画像は、他のソースから生成されてもよい。例えば、一実施形態において、リアルタイム画像は、テレビジョン信号からのものであり、制御ユニットは、リモートコントローラ２０１内に設けられる。そのような場合、リモートコントローラ２０１内の制御ユニットは、受信されたテレビジョン信号と、キャプチャされた基準画像と、に従って、リモートコントローラ２０１とディスプレイ２０５との相対位置を判定し、その相対位置に従って、ディスプレイ２０５により表示される画像を制御する。図３の実施形態は、より正確な位置判定結果をもたらすことができる。なぜならば、最新のリアルタイム画像が、位置判定のための標準として利用されるからである。
【００１６】
画像関連付け情報を生成するための多くの方法を適用することができる。例えば、基準画像の少なくとも１つの特徴と比較対象の画像の少なくとも１つの特徴との間の関連性を利用して、画像関連付け情報を生成することができる。また、上述した特徴は、画像内のオブジェクトであり得る。例えば、図３を参照すると、基準画像は、オブジェクトＯｂ１、Ｏｂ２、及びＯｂ３を含み、比較対象の画像もまた、オブジェクトＯｂ１、Ｏｂ２、及びＯｂ３を含む。したがって、制御ユニットは、オブジェクトＯｂ１、Ｏｂ２、及びＯｂ３のうちの少なくとも１つを比較し、基準画像及び比較対象の画像内のオブジェクトに関するパラメータ（サイズ、角度、及び変形等）に従って、リモートコントローラ２０１とディスプレイ２０５との相対位置を判定することができる。上述した特徴は、例えば、特定の輝度分布を有する画像や特定の形状を有する画像といった、様々な種類の画像であってもよい。例えば、ディスプレイの角は、直角を常に有するので、直角を有する画像が生成される。そのような種類の画像を特徴として利用して、画像関連付け情報を生成することができる。画像関連付け情報を生成するための上述した例は、例に過ぎず、本発明の範囲を限定することを意味するものではないことに留意されたい。
【００１７】
別の実施形態において、制御ユニット２０７は、リモートコントローラ２０１及びディスプレイ２０５の外部にあるソースから、基準画像として外部信号を受信する。この基準画像は、リアルタイム画像のコンテンツの一部又はコンテンツの全てを含む。例えば、ディスプレイ２０５及び制御ユニット２０７は、テレビジョン信号を同時に受信する。ディスプレイ２０５は、テレビジョンプログラムの完全なコンテンツを表示し、制御ユニット２０７は、基準画像として、テレビジョンプログラムのコンテンツの一部又は完全なコンテンツを利用する。
【００１８】
図４の実施形態において、基準画像は、特定の時点においてディスプレイにより表示される画像である。例えば、基準画像は、ｔ＝ｎにおいてディスプレイ２０５により表示された画像であり、比較対象の画像は、ｔ＝ｎ＋ｘにおいてリモートコントローラ２０１によりキャプチャされた画像である。ｘは、正の有理数である。すなわち、比較対象の画像は、基準画像後の画像である。図４を参照すると、オブジェクトＯｂ２がわずかに異なっている。なぜならば、比較対象の画像が、基準画像後の画像だからである。しかしながら、そのような場合では、リモートコントローラ２０１とディスプレイ２０５との相対位置は、特徴を比較する等、上述した方法により、それでも得ることができる。そのような方法により、送信データ量を低減することができる。なぜならば、リアルタイム画像生成装置は、リアルタイム画像を制御ユニット２０７に継続的に送信する必要がないからである。さらに、制御ユニットは、基準画像を継続的に更新する必要がないので、計算データ量を低減することができる。上述した実施形態は、基準画像が判定後にも固定されていることに制限するよう意味するものではないことに留意されたい。一実施形態において、基準画像は、特定の期間後に更新される。そのような方法は、電力消費量を低減することができる。
【００１９】
図５は、本発明の別の実施形態に従ったディスプレイ制御方法を示す概略図である。この実施形態において、リモートコントローラ５０１は、ディスプレイ５０５上に表示される画像に加えて、さらに、ディスプレイ５０５の予め定められた範囲内の画像をキャプチャする。例えば、図５を参照すると、リモートコントローラ５０１は、ディスプレイ５０５上に表示される画像に加えて、時計５０９の画像と、ディスプレイ５０５の近傍にある絵画５１１の画像と、をキャプチャする。そのような場合、基準画像は、ディスプレイ５０５上に表示される画像と、時計５０９の画像と、絵画５１１の画像と、を含んでもよいし、時計５０９の画像と、絵画５１１の画像と、だけを含んでもよい。関連する説明については、後で説明する。時計５０９及び絵画５１１は、説明のための例に過ぎず、ディスプレイ５０５の予め定められた範囲内の任意の画像も本発明の範囲に含まれるべきであることに留意されたい。
【００２０】
図６の実施形態において、基準画像は、時計５０９の画像と、絵画５１１の画像と、を含むが、ディスプレイ５０５上に表示されるコンテンツを含まない。一実施形態において、ディスプレイ５０５の境界は、ディスプレイ５０５上に表示される画像に分類される。そのような実施形態において、ディスプレイ５０５の境界及びディスプレイ５０５上に表示される画像の両方が、基準画像から除外される。したがって、リモートコントローラ５０１によりキャプチャされた比較対象の画像が、ディスプレイ５０５上に表示された画像と、時計５０９の画像と、絵画５１１の画像と、を含むとしても、制御ユニット５０７は、ディスプレイ５０５上に表示された画像と、時計５０９の画像と、絵画５１１の画像と、の全てではなく、時計５０９の画像と、絵画５１１の画像と、だけに従って（あるいは、時計５０９の画像と、絵画５１１の画像と、に加えて、ディスプレイ５０５の境界に従って）、リモートコントローラ５０１とディスプレイ５０５との間の相対位置を判定する。なぜならば、ディスプレイ５０５上に表示された画像は、基準画像から除外されているからである。
【００２１】
ディスプレイ５０５の位置を確認し、ディスプレイ５０５上に表示されるコンテンツを除外するための多くの方法を適用することができる。一実施形態において、ディスプレイ５０５は、特定の画像（例えば、特定のシンボル）を表示し、次いで、制御ユニットは、ディスプレイ５０５の表示範囲を判定して、この表示範囲に従って、ディスプレイ上に表示される画像を含まないよう基準画像を制御する。
【００２２】
図７の実施形態において、基準画像は、時計５０９の画像と、絵画５１１の画像と、ディスプレイ５０５上に表示される画像と、を含む。ディスプレイ５０５上に表示される画像は、図３において述べたリアルタイム画像であってもよいし、図４において述べた特定の時点における画像であってもよい。制御ユニット５０７は、ディスプレイ５０５上に表示された画像と、時計５０９の画像と、絵画５１１の画像と、に従って、リモートコントローラ５０１とディスプレイ５０５との間の相対位置を判定する。
【００２３】
上述したディスプレイ制御方法は、様々なオペレーションに適用することができる。例えば、本方法は、実行されるプログラムを選択するためにディスプレイ上のカーソルを制御するのに適用することができる。あるいは、本方法は、ホストがゲームプログラムを実行している間にゲームにおけるロールのアクションを制御するのに適用することができる。これらの制御方法は、異なる画像を表示するようディスプレイを制御するものと考えることができる。一実施形態において、制御ユニットは、リモートコントローラとディスプレイとの間の複数の相対位置に従って、ターゲット装置の水平方向の移動距離又は水平方向の移動速度を判定し、水平方向の移動距離又は水平方向の移動速度に従って画像を表示するようディスプレイを制御する。従来技術では、相対位置を判定するために、固定基準点が利用されるので、判定することができる水平方向の移動距離又は水平方向の移動速度は、狭い範囲に制限される。したがって、このような機構により、リモートコントローラの水平方向の移動の検出範囲を拡張することができる。また、このような機構により、リモートコントローラは、ジャイロセンサを用いることなく、水平方向の移動距離又は水平方向の移動速度を検出することができる。また、リモートコントローラとディスプレイとの間の複数の相対位置に基づいて、ジェスチャ制御オペレーションを実行することができる。例えば、ユーザが、リモートコントローラを保持して、空中で円を描く場合、複数の相対位置に基づいて、円を描くジェスチャを検出することができる。ホストは、そのようなジェスチャに基づいて、予め定められたオペレーションを実行する。
【００２４】
上述したリモートコントローラは、ホスト用の特定のリモートコントローラであってもよいし、ポータブル電子装置（例えば、携帯電話機）であってもよい。したがって、上述したリモートコントローラは、ターゲット装置とみなすことができ、そのようなターゲット装置の位置が、判定されるよう待ち受けられる。したがって、本発明により提供されるディスプレイ制御システムは、次のようにまとめることができる。当該ディスプレイ制御システムは、比較対象の画像を取得するよう構成されたターゲット装置（例えば、２０１）と、比較対象の前記画像の画像コンテンツを基準画像の画像コンテンツと比較して、画像関連付け情報を生成するよう構成され、前記画像関連付け情報に従って、前記ターゲット装置とディスプレイ（例えば、２０５）との間の相対位置を判定するよう構成された制御ユニット（例えば、２０７）と、を備える。前記制御ユニットは、さらに、前記相対位置に従って画像を表示するよう前記ディスプレイを制御する。上述したように、制御ユニットは、ターゲット装置内に設けられてもよいし、ホスト内に設けられてもよい。
【００２５】
このようなシステムは、相対位置に従って画像を表示するようディスプレイを制御するためではなく、ターゲット装置とディスプレイとの間の相対位置を判定するためだけに利用されてもよい。したがって、上述した実施形態に基づいて、本発明はまた、相対位置判定システムを提供する。当該相対位置判定システムは、比較対象の画像を取得するよう構成されたターゲット装置（例えば、２０１）と、比較対象の前記画像の画像コンテンツを基準画像の画像コンテンツと比較して、画像関連付け情報を生成するよう構成され、前記画像関連付け情報に従って、相対位置を判定するよう構成された制御ユニット（例えば、２０７）と、を備える。
【００２６】
上述したシステムの詳細なオペレーションは、上記記載に鑑みて得ることができるので、簡潔さのために、ここでは省略される。
【００２７】
上述した実施形態に鑑みて、ターゲット装置（例えば、２０１）とディスプレイ（例えば、２０５）との間の相対位置を判定するために適用される相対位置判定方法を得ることができる。当該方法は、（ａ）前記ターゲット装置を介して、比較対象の画像を取得するステップと、（ｂ）比較対象の前記画像の画像コンテンツを基準画像の画像コンテンツと比較して、画像関連付け情報を生成するステップと、（ｃ）前記画像関連付け情報に従って相対位置を判定するステップと、を含む。さらに、ディスプレイに適用されるディスプレイ制御方法を得ることができる。当該方法は、（ａ）ターゲット装置（例えば、２０１）を介して、比較対象の画像を取得するステップと、（ｂ）比較対象の前記画像の画像コンテンツを基準画像の画像コンテンツと比較して、画像関連付け情報を生成するステップと、（ｃ）前記画像関連付け情報に従って相対位置を判定するステップと、（ｄ）前記相対位置に従って画像を表示するよう前記ディスプレイを制御するステップと、を含む。
【００２８】
上述した実施形態に鑑みて、ディスプレイが固定基準点を含まない場合であっても、ターゲット装置とディスプレイとの間の相対位置を判定することができ、それに従ってディスプレイを制御することができる。さらに、ターゲット装置の水平方向の移動の検出範囲を拡張することができるので、ディスプレイ制御システムの用途が拡張される。
【００２９】
当業者は、本発明の教示を保ちながら、デバイス及び方法の多くの変更及び変形を行うことができることを容易に認識するであろう。したがって、上記開示は、特許請求の範囲の境界によってのみ限定されるものと解釈されるべきである。
【符号の説明】
【００３０】
２０１  リモートコントローラ（ターゲット装置）
２０３  ホスト
２０５  ディスプレイ
２０７  制御ユニット
５０３  ホスト
５０５  ディスプレイ
５０７  制御ユニット
【図１】
0006375279.tif 000002
【図２】
0006375279.tif 000003
【図３】
0006375279.tif 000004
【図４】
0006375279.tif 000005
【図５】
0006375279.tif 000006
【図６】
0006375279.tif 000007
【図７】
0006375279.tif 000008